(57)【要約】      （修正有）【課題】札入れ又は名刺入れの中から紙幣又は名刺を１枚又は１枚ずつ必要な枚数だけ容易に取り出す。【解決手段】札入れ用及び名刺入れ用の滑り止め器具１において、容器１０と、容器１０を札入れ又は名刺入れに固定するための固定手段１６と、蓋２０と、蓋２０を札入れ又は名刺入れに固定するための固定手段２１と、容器１０と蓋２０とを着脱可能に保持する保持手段３０とを備え、この滑り止め器具１に滑り止め剤４０が包装される。【選択図】図１
0003133377.tif 000002
【実用新案登録請求の範囲】
【請求項１】
上面に開口を有し、前記上面の開口周囲を所定の幅の平面状に、かつ底面を平面状にして全体を薄形に形成された容器と、
前記容器の開口周囲に当接し、前記容器の開口を閉塞可能に全体を薄形の平面形状に形成された蓋と、
前記容器の底面に付設され、前記容器を札入れ又は名刺入れに固定するための固定手段と、
前記蓋の外側面に付設され、前記蓋を札入れ又は名刺入れに固定するための固定手段と、
前記蓋の内側面周囲又は前記容器の開口周囲又はその両方に付設され、前記容器と前記蓋とを着脱可能に保持する保持手段とを備え、
前記容器と前記蓋とにより各種の滑り止め剤を包装し、当該滑り止め剤を札入れ又は名刺入れに添付するようにしたことを特徴とする札入れ用及び名刺入れ用滑り止め器具。
【請求項２】
上面に開口を有し、前記上面の開口周囲を所定の幅の平面状に、かつ底面を平面状にして全体を薄形に形成された容器と、
前記容器の開口周囲に当接し、前記容器の開口を閉塞可能に全体を薄形の平面形状に形成された蓋と、
前記容器の底面に付設され、前記容器を札入れ又は名刺入れに固定するための固定手段と、
前記蓋の内側面周囲又は前記容器の開口周囲又はその両方に付設され、前記容器と前記蓋とを着脱可能に保持する保持手段と、
前記蓋を前記容器に結合する手段、又は前記蓋を札入れ又は名刺入れに係止する手段とを備え、
前記容器と前記蓋とにより各種の滑り止め剤を包装し、当該滑り止め剤を札入れ又は名刺入れに添付するようにしたことを特徴とする札入れ用及び名刺入れ用滑り止め器具。
【請求項３】
複数の紙幣又は名刺を下端側で挟持可能に二つ折りのシートからなり、
少なくとも前記シートの一方の縁部に紙幣又は名刺の上端方向に延び、撓み変形自在なアームと、
当該アームの内側面に形成されて、紙幣又は名刺の平面に対して摩擦係合可能な係止手段とを備え、
前記シートの二つ折りの２面間に紙幣又は名刺を挟んで、札入れ又は名刺入れの内部に装填され、
ユーザーの指先で、前記係止手段を前記アームを前記一方の縁部に近接する方向に撓み変形させながら移動して、紙幣又は名刺に押し当てる動作と、前記係止手段を前記アームを元の状態に戻しながら前記一方の縁部から離間する方向に移動させる動作とにより、札入れ又は名刺入れから紙幣又は名刺を引き出すことを特徴とする札入れ用又は名刺入れ用滑り止め器具。
【請求項４】
アームは少なくとも一方の縁部から平面形状の略Ｍ字形に延び、その略中央に係止手段が設けられる請求項３に記載の札入れ用又は名刺入れ用滑り止め器具。
【考案の詳細な説明】
【技術分野】
【０００１】
本考案は、札入れ及び名刺入れに使用して、紙幣又は名刺の取り出しを容易にする札入れ用及び名刺入れ用滑り止め器具に関する。
【背景技術】
【０００２】
一般に、札入れは紙幣よりも大きい横長の外側面の素材と内側面の素材を縫い合わせて袋状に形成され、上部の開口から紙幣を出し入れするようになっている。この札入れには、外側面の素材を内側面の素材に対して上下方向の長さを大きくし、外側面の素材を上下方向中間部で２つ折りにして、内側面の素材に重ね合わせる形式と、外側面の素材と内側面の素材を概ね同じ大きさにして、左右方向中間部で２つ折りにして折り畳む形式がある。前者の形式は、外側面の素材の上半分を蓋状にしたもので、札入れの中に紙幣を折り曲げることなくその形状のまま収納するようになっている。これに対して後者の形式は、札入れの中に紙幣を入れて、札入れを紙幣とともに２つに折り畳むようになっている。また、一般に、名刺入れは、基本的に札入れに似た構造を有し、名刺よりも大きい横長の外側面の素材と内側面の素材を縫い合わせて袋状に形成され、上部の開口から名刺を出し入れするようになっている。名刺入れの場合、外側面の素材を内側面の素材に対して上下方向の長さを大きくし、外側面の素材を上下方向中間部で２つ折りにして、内側面の素材に重ね合わせる形式のものが多い。なお、この種の札入れや名刺入れについては特許文献１に記載されている。
【０００３】
【特許文献１】実用新案登録第３１２２４１７号公報
【考案の開示】
【考案が解決しようとする課題】
【０００４】
ところで、札入れには、複数の紙幣が重ねて収納されるため、札入れの中で、紙幣同士が密着していることがあり、このような場合、必要以上の枚数の紙幣を出さないように、（めくりにくい状態になっている）紙幣を１枚、又は１枚ずつめくりながら取り出すため、紙幣の取り出しを容易かつ迅速に行うことができない。特に手、指が乾燥しているようなときは、指先が紙幣の上で滑りやすく、さらに手際が悪くなる。また、このような場合、紙幣の取り出しを容易にしようとするために、指先を舌で舐めて、紙幣を取り出すことがあるが、見た目が悪く、紙幣を受け取る相手方に不快感を与えることも少なくない。さらに、近時はノロウィルスなどの感染性の病気が発生しており、衛生上も、好ましくない。また、名刺入れから名刺を取り出す場合にも、同様のことがある。
【０００５】
本考案は、このような課題を解決するもので、札入れ又は名刺入れの中に複数の紙幣又は名刺が重ねて収納され、紙幣同士又は名刺同士が密着されていても、紙幣又は名刺を１枚又は１枚ずつ必要な枚数だけ容易に取り出すことのできる優れた札入れ用又は名刺入れ用滑り止め器具を提供すること、を目的とする。
【課題を解決するための手段】
【０００６】
上記目的を達成するために、本考案による第１の札入れ用又は名刺入れ用滑り止め器具は、上面に開口を有し、前記上面の開口周囲を所定の幅の平面状に、かつ底面を平面状にして全体を薄形に形成された容器と、前記容器の開口周囲に当接し、前記容器の開口を閉塞可能に全体を薄形の平面形状に形成された蓋と、前記容器の底面に付設され、前記容器を札入れ又は名刺入れに固定するための固定手段と、前記蓋の外側面に付設され、前記蓋を札入れ又は名刺入れに固定するための固定手段と、前記蓋の内側面周囲又は前記容器の開口周囲又はその両方に付設され、前記容器と前記蓋とを着脱可能に保持する保持手段とを備え、前記容器と前記蓋とにより各種の滑り止め剤を包装し、当該滑り止め剤を札入れ又は名刺入れに添付するようにしたことを要旨とする。
【０００７】
また、上記目的を達成するために、本考案による第２の札入れ用又は名刺入れ用滑り止め器具は、上面に開口を有し、前記上面の開口周囲を所定の幅の平面状に、かつ底面を平面状にして全体を薄形に形成された容器と、前記容器の開口周囲に当接し、前記容器の開口を閉塞可能に全体を薄形の平面形状に形成された蓋と、前記容器の底面に付設され、前記容器を札入れ又は名刺入れに固定するための固定手段と、前記蓋の内側面周囲又は前記容器の開口周囲又はその両方に付設され、前記容器と前記蓋とを着脱可能に保持する保持手段と、前記蓋を前記容器に結合する手段、又は前記蓋を札入れ又は名刺入れに係止する手段とを備え、前記容器と前記蓋とにより各種の滑り止め剤を包装し、当該滑り止め剤を札入れ又は名刺入れに添付するようにしたことを要旨とする。この場合、蓋を容器に結合する手段として、蓋と容器とを連結する手段、又は蓋を札入れ又は名刺入れに係止する手段を具備する。
【０００８】
さらに、上記目的を達成するために、本考案による第３の札入れ用又は名刺入れ用滑り止め器具は、複数の紙幣又は名刺を下端側で挟持可能に二つ折りのシートからなり、少なくとも前記シートの一方の縁部に紙幣又は名刺の上端方向に延び、撓み変形自在なアームと、当該アームの内側面に形成されて、紙幣又は名刺の平面に対して摩擦係合可能な係止手段とを備え、前記シートの二つ折りの２面間に紙幣又は名刺を挟んで、札入れ又は名刺入れの内部に装填され、ユーザーの指先で、前記係止手段を前記アームを前記一方の縁部に近接する方向に撓み変形させながら移動して、紙幣又は名刺に押し当てる動作と、前記係止手段を前記アームを元の状態に戻しながら前記一方の縁部から離間する方向に移動させる動作とにより、札入れ又は名刺入れから紙幣又は名刺を引き出すことを要旨とする。この場合、アームは少なくとも一方の縁部から平面形状の略Ｍ字形に延び、その略中央に係止手段が設けられることが好ましい。
【考案の効果】
【０００９】
本考案の第１の札入れ用及び名刺入れ用滑り止め器具は、上記の構成を有し、容器と蓋とにより各種の滑り止め剤を包装し、この滑り止め剤を札入れ又は名刺入れに添付するようにしたので、札入れ又は名刺入れの中に複数の紙幣又は名刺が重ねて収納され、紙幣同士又は名刺同士が密着されていても、札入れ又は名刺入れに添付の滑り止め剤を簡便に使うことができ、この滑り止め剤を指先に付けることで、紙幣又は名刺を１枚又は１枚ずつ必要な枚数だけ容易に取り出すことができる。特に、この滑り止め器具の場合、二つ折り形式の札入れ又は名刺入れにおいて、札入れ又は名刺入れの二つに折られて相互に対接される２面の一方に容器を固定手段により固定し、他方に蓋を固定手段により固定することで、当該札入れ又は名刺入れの開く動作及び閉じる動作とともに容器と蓋とを開閉することができ、この滑り止め剤を、必要なときに、蓋を開け閉めすることなく、簡易に使用することができる。
【００１０】
本考案の第２の札入れ用及び名刺入れ用滑り止め器具は、上記の構成を有し、容器と蓋とにより各種の滑り止め剤を包装し、この滑り止め剤を札入れ又は名刺入れに添付するようにしたので、札入れ又は名刺入れの中に複数の紙幣又は名刺が重ねて収納され、紙幣同士又は名刺同士が密着されていても、札入れ又は名刺入れに添付の滑り止め剤を簡便に使うことができ、この滑り止め剤を指先に付けることで、紙幣又は名刺を１枚又は１枚ずつ必要な枚数だけ容易に取り出すことができる。特に、この滑り止め器具の場合、札入れ又は名刺入れから紙幣又は名刺を取り出す際に、容器から蓋を引き離すだけのワンタッチ操作で開くことができ、この滑り止め剤を、必要なときに、簡易に使用することができる。
【００１１】
本考案の第３の札入れ用又は名刺入れ用滑り止め器具は、上記の構成を有し、シートの２面間に紙幣又は名刺を挟んで、札入れ又は名刺入れの内部に装填し、ユーザーの指先で、係止手段をアームを一方の面に近接する方向に撓み変形させながら移動して、紙幣又は名刺に押し当てる動作と、係止手段をアームを元の状態に戻しながら一方の面から離間する方向に移動させる動作の簡易な操作により、札入れ又は名刺入れから紙幣又は名刺を引き出すようにしたので、札入れ又は名刺入れの中に複数の紙幣又は名刺が重ねて収納され、紙幣同士又は名刺同士が密着されていても、この滑り止め器具の簡単な操作で、札入れ又は名刺入れから紙幣又は名刺を１枚又は１枚ずつ必要な枚数だけ容易に取り出すことができる。
【考案を実施するための最良の形態】
【００１２】
以下、本考案の実施の形態について、図１乃至図５を用いて説明する。図１及び図２に第１の実施の形態を示している。図１において、１は札入れ用及び名刺入れ用の滑り止め器具で、容器１０と、容器１０を札入れ又は名刺入れに固定するための固定手段１６と、蓋２０と、蓋２０を札入れ又は名刺入れに固定するための固定手段２１と、容器１０と蓋２０とを着脱可能に保持する保持手段３０とを備え、この滑り止め器具１に滑り止め剤４０が包装される。
【００１３】
容器１０は、薄い平面形状のベース１１と、このベース１１と同じ外形で所定の幅を有する薄い平面形状のフレーム１２とからなり、ベース１１上にフレーム１２が両者の外形を合わせて一体的に結合される。この場合、フレーム１２はスポンジ系の素材で形成されることが好ましく、ベース１１上に接着手段その他の固着手段を介して接合される。このようにして、容器１０は上面に開口１３を有し、上面の開口周囲１４を所定の幅の平面状に、かつ底面１５を平面状にして全体が薄形に形成される。なお、この場合、ベース１１とフレーム１２が別体に形成されるが、ベース１１とフレーム１２が一体に成形されてもよいことは勿論である。また、この容器１０の場合、図示のとおり、全体がトラック形の平面形状に形成されているが、この全体の形状は任意で、円形や、三角形、四角形その他の多角形であってもかまわない。容器１０の固定手段１６には接着手段が採用され、この場合、容器１０の底面（外側底面）１５に札入れ又は名刺入れの表面に接着可能な粘着剤１６が塗布される。この粘着剤１６はその上から剥離紙１７などの保護シートが被着されて保護される。また、この固定手段１６には、両面テープなどの接着手段を代用することもできる。なお、この固定手段１６は接着手段の他にクリップなど容器１０を札入れ又は名刺入れに固定できるものであれば、種々の部材に変更可能である。
【００１４】
蓋２０は、容器１０の開口周囲１４に当接し、容器１０の開口１３を閉塞可能に、ベース１１と同じ外形の薄形の平面形状に形成される。なお、この場合、容器１０に合わせて、全体がトラック形の平面形状に形成されているが、この全体の形状は任意で、円形や、三角形、四角形その他の多角形であっても勿論かまわない。蓋２０の固定手段２１には、容器１０の固定手段１６と同様に、接着手段が採用され、この場合、蓋２０の外側面に札入れ又は名刺入れの表面に接着可能な粘着剤２１が塗布される。この粘着剤２１はその上から剥離紙２２などの保護シートが被着されて保護される。また、この固定手段２１には、両面テープなどの接着手段を代用することもできる。なお、この固定手段２１においても、接着手段の他にクリップなど容器を札入れ又は名刺入れに固定できるものであれば、種々の部材に変更可能である。
【００１５】
容器１０と蓋２０の保持手段３０は接着手段が採用され、この場合、蓋２０の内側面周囲に、容器１０と蓋２０とを着脱できる程度に接着可能な弱粘着剤が塗布される。なお、この保持手段３０には、接着力の弱い両面テープなどの接着手段を代用することもできる。また、この保持手段３０は容器１０の開口周囲１４に塗布されてもよく、蓋２０の内側面周囲及び容器１０の開口周囲１４の両方に塗布されてもよい。
【００１６】
このように容器１０及び蓋２０が形成され、これら容器１０と蓋２０とにより滑り止め剤４０が包装される。この場合、滑り止め剤４０は一般に製造販売されている例えば紙めくり用の各種滑り止め剤でよく、固形状のタイプ、クリーム状のタイプ、ゼリー状のタイプの、いずれのものでもよく、これら各種の滑り止め剤４０が容器１０に充填され、容器１０の上面に蓋２０が保持手段３０、この場合、弱粘着剤を介して被着される。
【００１７】
このようにして滑り止め器具１は滑り止め剤４０が包装され、札入れ（又は名刺入れ）に添付して使用されるようになっている。この滑り止め器具１の使い方は次のとおりである。なお、ここでは滑り止め器具１を札入れ８０に取り付けて使用する場合について例示するが、名刺入れの場合でも同様である。図２に示すように、この滑り止め器具１の場合、二つ折り形式の札入れ８０において、札入れ８０の二つに折られて相互に対接される２面８１、８２の一方に容器１０を取り付ける。この場合、容器１０の底面１５から剥離紙１７を剥がし、容器１０の底面１５を粘着剤（固定手段）１６により札入れ８０の一方の面８１に固定すればよい。そして、他方に蓋２０を取り付ける。この場合、蓋２０の外側面から剥離紙２２を剥がし、蓋２０の外側面を粘着剤（固定手段）２１により札入れ８０の他方の面８２に容器１０の位置に対応させて固定する。このようにすると、二つ折りの札入れ８０を開く動作及び閉じる動作とともに容器１０と蓋２０とを開閉することができる。つまり、札入れ８０は通常、二つ折りにして携帯され、この二つ折りの間で容器１０と蓋２０は対接されて、容器１０の開口周囲１４上に蓋２０が保持手段（弱粘着剤）３０を介して接触保持されて、容器１０が閉じられる。そして、札入れ８０から紙幣を取り出すときに、札入れ８０を開くと、容器１０から蓋２０が引き離され、容器１０の蓋２０を開けることができる。これによりユーザーは、この滑り止め剤４０を、必要なときに、特に蓋２０を開け閉めすることなく、簡易に使用することができる。したがって、札入れ８０の中に複数の紙幣が重ねて収納され、紙幣同士が密着されていても、札入れ８０に添付の滑り止め剤４０を簡便に使うことができ、この滑り止め剤４０を指先に付けることで、紙幣を１枚又は１枚ずつ必要な枚数だけ容易に取り出すことができる。なお、札入れ８０から紙幣を取り出した後、札入れ８０を二つ折りにして閉じると、この二つ折りの間で容器１０と蓋２０は対接されて、容器１０の開口周囲１４上に蓋２０が保持手段（弱粘着剤）３０を介して接触保持されて、容器１０の蓋２０が閉じられる。
【００１８】
図３及び図４に第２の実施の形態を示している。図３において、２は札入れ用及び名刺入れ用の滑り止め器具で、容器１０と、容器１０を札入れ又は名刺入れに固定するための固定手段１６と、蓋２０と、蓋２０を容器１０に結合する手段５０、又は蓋２０を札入れ又は名刺入れに係止する手段と、容器１０と蓋２０とを着脱可能に保持する保持手段３０とを備える。この実施の形態においては、容器１０、容器１０を札入れ又は名刺入れに固定するための固定手段１６、蓋２０、容器１０と蓋２０とを着脱可能に保持する保持手段３０は、第１の実施の形態と同様であり、これらの部材については第１の実施の形態と同じ符号を付してその重複した説明を省略する。この実施の形態では、蓋２０を札入れ又は名刺入れに固定するための固定手段に代えて、蓋２０を容器１０に結合する手段５０、又は蓋２０を札入れ又は名刺入れに係止する手段を備えた点が、第１の実施の形態と異なり、ここでは新たな符号を付して詳しく説明する。
【００１９】
蓋２０を容器１０に結合する手段５０は蓋２０と容器１０とを連結する手段で、この場合、蓋２０が容器１０に繋ぎ部材を介して連結される。この場合、繋ぎ部材５０は、蓋２０とフレーム１２若しくはベース１１、又は容器１０全体と一体に成形して、蓋２０とフレーム１２若しくはベース１１、又は容器１０との間に一体に形成されてもよく、繋ぎ部材５０を単体で形成して、蓋２０とフレーム１２若しくはベース１１、又は容器１０との間に後付けで取り付けてもよい。また、蓋２０と容器１０とを連結する手段５０として、蓋２０が容器１０にヒンジ結合されてもよい。蓋２０を札入れ又は名刺入れに係止する手段には、接着手段又は係止手段が採用される。接着手段の場合は、蓋の内側面周囲に、蓋を札入れ又は名刺入れに着脱可能に接着できる程度の弱粘着剤が塗布される。なお、この弱粘着剤は蓋と容器との間の保持手段として採用する弱粘着剤と兼用されてもよい。係止手段の場合は、蓋の外側面や周縁部に札入れ又は名刺入れの縁部に係止可能なクリップやフックなどの係止部材が設けられる。
【００２０】
このようにして滑り止め器具２は既述のとおり、滑り止め剤４０が包装され、札入れ（又は名刺入れ）に添付して使用されるようになっている。この滑り止め器具２の使い方は次のとおりである。なお、ここでは滑り止め器具２を札入れ８０に取り付けて使用する場合について例示するが、名刺入れの場合でも同様である。図４に示すように、この滑り止め器具２の場合、容器１０は蓋２０が閉じられた状態で、札入れ８０の任意の位置に取り付けられる。この場合、容器１０の底面１５から剥離紙１７を剥がして、容器１０の底面１５を札入れ８０の一方の面８１の任意の位置に粘着剤（固定手段）１６により固定する。そして、札入れ８０から紙幣を取り出すときに、容器１０から蓋２０を引き離すだけのワンタッチ操作で、容器１０の蓋２０を開ければよい。このとき、蓋２０が繋ぎ部材５０その他の容器１０に結合する手段５０で連結されていることで、蓋２０を持つ必要がなく、また蓋２０の紛失を防止することができる。また、蓋２０に、弱粘着剤、又はクリップやフックその他の容器に係止する手段が設けられることで、蓋２０を札入れ又は名刺入れに一時的に固定（仮止め）することができ、蓋２０を引き離した後で蓋２０を持つ必要がなく、また蓋２０の紛失を防止することができる。これによりユーザーは、この滑り止め剤４０を、必要なときに、簡易に使用することができる。したがって、札入れ８０の中に複数の紙幣が重ねて収納され、紙幣同士が密着されていても、札入れ８０に添付の滑り止め剤４０を簡便に使うことができ、この滑り止め剤４０を指先に付けることで、紙幣を１枚又は１枚ずつ必要な枚数だけ容易に取り出すことができる。
【００２１】
図５に第３の実施の形態を示している。図５において、３は札入れ用及び名刺入れ用の滑り止め器具で、二つ折りのシート６０からなり、少なくとも二つ折り２面６１、６２の一方にアーム６３及び係止手段６４を備える。
【００２２】
シート６０とアーム６３はＰＥТ（ポリエチレンテレフタレート）その他の合成樹脂材により一体成形され、シート６０は複数の紙幣又は名刺をまとめて（札入れ又は名刺入れへの収納方向から見て）下端側で挟持可能に所定の大きさ及び形状を有する初期形状に形成され、その両端方向中間部で二つ折りに加工されて２面６１、６２により構成され、アーム６３はシート６０の縁部から（札入れ又は名刺入れへの収納方向から見て）紙幣又は名刺の上端方向に向けて延びる平面形状に形成されて、撓み変形自在に構成される。この場合、シート６０の各面６１、６２は横の長さが紙幣又は名刺の長手方向の寸法よりも小さく、縦の長さが紙幣又は名刺の短手方向の寸法よりも少し小さい略矩形状に形成される。なお、シート６０の各面６１、６２の形状は任意で、半円形、三角形その他の多角形でもかまわない。また、アーム６３はシート６０の各面６１、６２の左右両側縁部からシート６０の縦方向に延びる略Ｍ字形に形成されている。なお、アーム６３の形状は後述するアームの動きが得られれば、特に限定されるものではない。係止手段６４は紙幣又は名刺の平面に対して摩擦係合する手段で、アーム６３の内側面に形成される。この場合、係止手段６４に紙幣又は名刺の平面に対して摩擦係合可能な樹脂フィルムが採用され、略Ｍ字形のアーム６３の略中央の内側面に貼り付けられる。なお、係止手段６４は略Ｍ字形のアーム６３の略中央の内側面に直接、紙幣や名刺が滑り難い処理が施されてもよい。
【００２３】
このようにして滑り止め器具３が構成され、札入れ又は名刺入れの中に装填されて使用される。その使い方は次のとおりである。なお、ここでは滑り止め器具３を名刺入れに取り付けて使用する場合について例示するが、札入れの場合でも同様であることは勿論である。図５に示すように、この滑り止め器具３の場合、シート６０の二つ折りの２面６１、６２間に名刺９０を挟んで、名刺入れの内部に装填される。そして、ユーザーの指先で一方の係止手段６４を、（一方の）アーム６３をシート６０の上端縁に近接する方向に撓み変形させながら移動して、名刺９０に押し当てる動作と、この係止手段６４をアーム６３を元の状態に戻しながら（つまり、延ばしながら）シート６０の上端縁から離間する方向に移動させる動作を行えばよく、この指先のワンタッチ操作で、名刺入れから名刺を簡易に引き出すことができる。したがって、名刺入れの中に複数の名刺が重ねて収納され、名刺同士が密着されていても、名刺入れに装填された滑り止め器具３の簡易な操作で、名刺を１枚又は１枚ずつ必要な枚数だけ容易に取り出すことができる。
【図面の簡単な説明】
【００２４】
【図１】（ａ）本考案の第１の実施の形態における札入れ用及び名刺入れ用の滑り止め器具の平面図（ｂ）同滑り止め器具の断面図
【図２】同滑り止め器具の使用例を示す斜視図
【図３】（ａ）本考案の第２の実施の形態における札入れ用及び名刺入れ用の滑り止め器具の平面図（ｂ）同滑り止め器具の断面図
【図４】同滑り止め器具の使用例を示す斜視図
【図５】（ａ）本考案の第３の実施の形態における札入れ用及び名刺入れ用の滑り止め器具の正面図（ｂ）同滑り止め器具の端面図
【符号の説明】
【００２５】
１、２、３  札入れ用及び名刺入れ用滑り止め器具
１０  容器
１１  ベース
１２  フレーム
１３  開口
１４  開口周囲
１５  底面
１６  固定手段（粘着材）
１７  剥離紙
２０  蓋
２１  固定手段（粘着材）
２２  剥離紙
３０  保持手段
４０  滑り止め剤
５０  蓋を容器に結合する手段（繋ぎ部材）
６０  シート
６１、６２  面
６３  アーム
６４  係止手段
８０  札入れ
８１、８２  面
９０  名刺
【図１】
0003133377.tif 000003
【図２】
0003133377.tif 000004
【図３】
0003133377.tif 000005
【図４】
0003133377.tif 000006
【図５】
0003133377.tif 000007
【手続補正書】
【提出日】平成19年4月16日(2007.4.16)
【手続補正１】
【補正対象書類名】実用新案登録請求の範囲
【補正対象項目名】全文
【補正方法】変更
【補正の内容】
【実用新案登録請求の範囲】
【請求項１】
上面に開口を有し、前記上面の開口周囲を所定の幅の平面状に、かつ底面を平面状にして全体を薄形に形成された容器と、
前記容器の開口周囲に当接し、前記容器の開口を閉塞可能に全体を薄形の平面形状に形成された蓋と、
前記容器の底面に付設され、前記容器を札入れ又は名刺入れに固定するための固定手段と、
前記蓋の外側面に付設され、前記蓋を札入れ又は名刺入れに固定するための固定手段と、
前記蓋の内側面周囲又は前記容器の開口周囲又はその両方に付設され、前記容器と前記蓋とを着脱可能に保持する保持手段とを備え、
前記容器と前記蓋とにより各種の滑り止め剤を包装し、当該滑り止め剤を札入れ又は名刺入れに添付するようにしたことを特徴とする札入れ用及び名刺入れ用滑り止め器具。
【請求項２】
上面に開口を有し、前記上面の開口周囲を所定の幅の平面状に、かつ底面を平面状にして全体を薄形に形成された容器と、
前記容器の開口周囲に当接し、前記容器の開口を閉塞可能に全体を薄形の平面形状に形成された蓋と、
前記容器の底面に付設され、前記容器を札入れ又は名刺入れに固定するための固定手段と、
前記蓋の内側面周囲又は前記容器の開口周囲又はその両方に付設され、前記容器と前記蓋とを着脱可能に保持する保持手段と、
前記蓋を前記容器に結合する手段、又は前記蓋を札入れ又は名刺入れに係止する手段とを備え、
前記容器と前記蓋とにより各種の滑り止め剤を包装し、当該滑り止め剤を札入れ又は名刺入れに添付するようにしたことを特徴とする札入れ用及び名刺入れ用滑り止め器具。
【手続補正２】
【補正対象書類名】明細書
【補正対象項目名】全文
【補正方法】変更
【補正の内容】
【考案の詳細な説明】
【技術分野】
【０００１】
本考案は、札入れ及び名刺入れに使用して、紙幣又は名刺の取り出しを容易にする札入れ用及び名刺入れ用滑り止め器具に関する。
【背景技術】
【０００２】
一般に、札入れは紙幣よりも大きい横長の外側面の素材と内側面の素材を縫い合わせて袋状に形成され、上部の開口から紙幣を出し入れするようになっている。この札入れには、外側面の素材を内側面の素材に対して上下方向の長さを大きくし、外側面の素材を上下方向中間部で２つ折りにして、内側面の素材に重ね合わせる形式と、外側面の素材と内側面の素材を概ね同じ大きさにして、左右方向中間部で２つ折りにして折り畳む形式がある。前者の形式は、外側面の素材の上半分を蓋状にしたもので、札入れの中に紙幣を折り曲げることなくその形状のまま収納するようになっている。これに対して後者の形式は、札入れの中に紙幣を入れて、札入れを紙幣とともに２つに折り畳むようになっている。また、一般に、名刺入れは、基本的に札入れに似た構造を有し、名刺よりも大きい横長の外側面の素材と内側面の素材を縫い合わせて袋状に形成され、上部の開口から名刺を出し入れするようになっている。名刺入れの場合、外側面の素材を内側面の素材に対して上下方向の長さを大きくし、外側面の素材を上下方向中間部で２つ折りにして、内側面の素材に重ね合わせる形式のものが多い。なお、この種の札入れや名刺入れについては特許文献１に記載されている。
【０００３】
【特許文献１】実用新案登録第３１２２４１７号公報
【考案の開示】
【考案が解決しようとする課題】
【０００４】
ところで、札入れには、複数の紙幣が重ねて収納されるため、札入れの中で、紙幣同士が密着していることがあり、このような場合、必要以上の枚数の紙幣を出さないように、（めくりにくい状態になっている）紙幣を１枚、又は１枚ずつめくりながら取り出すため、紙幣の取り出しを容易かつ迅速に行うことができない。特に手、指が乾燥しているようなときは、指先が紙幣の上で滑りやすく、さらに手際が悪くなる。また、このような場合、紙幣の取り出しを容易にしようとするために、指先を舌で舐めて、紙幣を取り出すことがあるが、見た目が悪く、紙幣を受け取る相手方に不快感を与えることも少なくない。さらに、近時はノロウィルスなどの感染性の病気が発生しており、衛生上も、好ましくない。また、名刺入れから名刺を取り出す場合にも、同様のことがある。
【０００５】
本考案は、このような課題を解決するもので、札入れ又は名刺入れの中に複数の紙幣又は名刺が重ねて収納され、紙幣同士又は名刺同士が密着されていても、紙幣又は名刺を１枚又は１枚ずつ必要な枚数だけ容易に取り出すことのできる優れた札入れ用又は名刺入れ用滑り止め器具を提供すること、を目的とする。
【課題を解決するための手段】
【０００６】
上記目的を達成するために、本考案による第１の札入れ用又は名刺入れ用滑り止め器具は、上面に開口を有し、前記上面の開口周囲を所定の幅の平面状に、かつ底面を平面状にして全体を薄形に形成された容器と、前記容器の開口周囲に当接し、前記容器の開口を閉塞可能に全体を薄形の平面形状に形成された蓋と、前記容器の底面に付設され、前記容器を札入れ又は名刺入れに固定するための固定手段と、前記蓋の外側面に付設され、前記蓋を札入れ又は名刺入れに固定するための固定手段と、前記蓋の内側面周囲又は前記容器の開口周囲又はその両方に付設され、前記容器と前記蓋とを着脱可能に保持する保持手段とを備え、前記容器と前記蓋とにより各種の滑り止め剤を包装し、当該滑り止め剤を札入れ又は名刺入れに添付するようにしたことを要旨とする。
【０００７】
また、上記目的を達成するために、本考案による第２の札入れ用又は名刺入れ用滑り止め器具は、上面に開口を有し、前記上面の開口周囲を所定の幅の平面状に、かつ底面を平面状にして全体を薄形に形成された容器と、前記容器の開口周囲に当接し、前記容器の開口を閉塞可能に全体を薄形の平面形状に形成された蓋と、前記容器の底面に付設され、前記容器を札入れ又は名刺入れに固定するための固定手段と、前記蓋の内側面周囲又は前記容器の開口周囲又はその両方に付設され、前記容器と前記蓋とを着脱可能に保持する保持手段と、前記蓋を前記容器に結合する手段、又は前記蓋を札入れ又は名刺入れに係止する手段とを備え、前記容器と前記蓋とにより各種の滑り止め剤を包装し、当該滑り止め剤を札入れ又は名刺入れに添付するようにしたことを要旨とする。この場合、蓋を容器に結合する手段として、蓋と容器とを連結する手段、又は蓋を札入れ又は名刺入れに係止する手段を具備する。
【考案の効果】
【０００８】
本考案の第１の札入れ用及び名刺入れ用滑り止め器具は、上記の構成を有し、容器と蓋とにより各種の滑り止め剤を包装し、この滑り止め剤を札入れ又は名刺入れに添付するようにしたので、札入れ又は名刺入れの中に複数の紙幣又は名刺が重ねて収納され、紙幣同士又は名刺同士が密着されていても、札入れ又は名刺入れに添付の滑り止め剤を簡便に使うことができ、この滑り止め剤を指先に付けることで、紙幣又は名刺を１枚又は１枚ずつ必要な枚数だけ容易に取り出すことができる。特に、この滑り止め器具の場合、二つ折り形式の札入れ又は名刺入れにおいて、札入れ又は名刺入れの二つに折られて相互に対接される２面の一方に容器を固定手段により固定し、他方に蓋を固定手段により固定することで、当該札入れ又は名刺入れの開く動作及び閉じる動作とともに容器と蓋とを開閉することができ、この滑り止め剤を、必要なときに、蓋を開け閉めすることなく、簡易に使用することができる。
【０００９】
本考案の第２の札入れ用及び名刺入れ用滑り止め器具は、上記の構成を有し、容器と蓋とにより各種の滑り止め剤を包装し、この滑り止め剤を札入れ又は名刺入れに添付するようにしたので、札入れ又は名刺入れの中に複数の紙幣又は名刺が重ねて収納され、紙幣同士又は名刺同士が密着されていても、札入れ又は名刺入れに添付の滑り止め剤を簡便に使うことができ、この滑り止め剤を指先に付けることで、紙幣又は名刺を１枚又は１枚ずつ必要な枚数だけ容易に取り出すことができる。特に、この滑り止め器具の場合、札入れ又は名刺入れから紙幣又は名刺を取り出す際に、容器から蓋を引き離すだけのワンタッチ操作で開くことができ、この滑り止め剤を、必要なときに、簡易に使用することができる。
【考案を実施するための最良の形態】
【００１０】
以下、本考案の実施の形態について、図１乃至図４を用いて説明する。図１及び図２に第１の実施の形態を示している。図１において、１は札入れ用及び名刺入れ用の滑り止め器具で、容器１０と、容器１０を札入れ又は名刺入れに固定するための固定手段１６と、蓋２０と、蓋２０を札入れ又は名刺入れに固定するための固定手段２１と、容器１０と蓋２０とを着脱可能に保持する保持手段３０とを備え、この滑り止め器具１に滑り止め剤４０が包装される。
【００１１】
容器１０は、薄い平面形状のベース１１と、このベース１１と同じ外形で所定の幅を有する薄い平面形状のフレーム１２とからなり、ベース１１上にフレーム１２が両者の外形を合わせて一体的に結合される。この場合、フレーム１２はスポンジ系の素材で形成されることが好ましく、ベース１１上に接着手段その他の固着手段を介して接合される。このようにして、容器１０は上面に開口１３を有し、上面の開口周囲１４を所定の幅の平面状に、かつ底面１５を平面状にして全体が薄形に形成される。なお、この場合、ベース１１とフレーム１２が別体に形成されるが、ベース１１とフレーム１２が一体に成形されてもよいことは勿論である。また、この容器１０の場合、図示のとおり、全体がトラック形の平面形状に形成されているが、この全体の形状は任意で、円形や、三角形、四角形その他の多角形であってもかまわない。容器１０の固定手段１６には接着手段が採用され、この場合、容器１０の底面（外側底面）１５に札入れ又は名刺入れの表面に接着可能な粘着剤１６が塗布される。この粘着剤１６はその上から剥離紙１７などの保護シートが被着されて保護される。また、この固定手段１６には、両面テープなどの接着手段を代用することもできる。なお、この固定手段１６は接着手段の他にクリップなど容器１０を札入れ又は名刺入れに固定できるものであれば、種々の部材に変更可能である。
【００１２】
蓋２０は、容器１０の開口周囲１４に当接し、容器１０の開口１３を閉塞可能に、ベース１１と同じ外形の薄形の平面形状に形成される。なお、この場合、容器１０に合わせて、全体がトラック形の平面形状に形成されているが、この全体の形状は任意で、円形や、三角形、四角形その他の多角形であっても勿論かまわない。蓋２０の固定手段２１には、容器１０の固定手段１６と同様に、接着手段が採用され、この場合、蓋２０の外側面に札入れ又は名刺入れの表面に接着可能な粘着剤２１が塗布される。この粘着剤２１はその上から剥離紙２２などの保護シートが被着されて保護される。また、この固定手段２１には、両面テープなどの接着手段を代用することもできる。なお、この固定手段２１においても、接着手段の他にクリップなど容器を札入れ又は名刺入れに固定できるものであれば、種々の部材に変更可能である。
【００１３】
容器１０と蓋２０の保持手段３０は接着手段が採用され、この場合、蓋２０の内側面周囲に、容器１０と蓋２０とを着脱できる程度に接着可能な弱粘着剤が塗布される。なお、この保持手段３０には、接着力の弱い両面テープなどの接着手段を代用することもできる。また、この保持手段３０は容器１０の開口周囲１４に塗布されてもよく、蓋２０の内側面周囲及び容器１０の開口周囲１４の両方に塗布されてもよい。
【００１４】
このように容器１０及び蓋２０が形成され、これら容器１０と蓋２０とにより滑り止め剤４０が包装される。この場合、滑り止め剤４０は一般に製造販売されている例えば紙めくり用の各種滑り止め剤でよく、固形状のタイプ、クリーム状のタイプ、ゼリー状のタイプの、いずれのものでもよく、これら各種の滑り止め剤４０が容器１０に充填され、容器１０の上面に蓋２０が保持手段３０、この場合、弱粘着剤を介して被着される。
【００１５】
このようにして滑り止め器具１は滑り止め剤４０が包装され、札入れ（又は名刺入れ）に添付して使用されるようになっている。この滑り止め器具１の使い方は次のとおりである。なお、ここでは滑り止め器具１を札入れ８０に取り付けて使用する場合について例示するが、名刺入れの場合でも同様である。図２に示すように、この滑り止め器具１の場合、二つ折り形式の札入れ８０において、札入れ８０の二つに折られて相互に対接される２面８１、８２の一方に容器１０を取り付ける。この場合、容器１０の底面１５から剥離紙１７を剥がし、容器１０の底面１５を粘着剤（固定手段）１６により札入れ８０の一方の面８１に固定すればよい。そして、他方に蓋２０を取り付ける。この場合、蓋２０の外側面から剥離紙２２を剥がし、蓋２０の外側面を粘着剤（固定手段）２１により札入れ８０の他方の面８２に容器１０の位置に対応させて固定する。このようにすると、二つ折りの札入れ８０を開く動作及び閉じる動作とともに容器１０と蓋２０とを開閉することができる。つまり、札入れ８０は通常、二つ折りにして携帯され、この二つ折りの間で容器１０と蓋２０は対接されて、容器１０の開口周囲１４上に蓋２０が保持手段（弱粘着剤）３０を介して接触保持されて、容器１０が閉じられる。そして、札入れ８０から紙幣を取り出すときに、札入れ８０を開くと、容器１０から蓋２０が引き離され、容器１０の蓋２０を開けることができる。これによりユーザーは、この滑り止め剤４０を、必要なときに、特に蓋２０を開け閉めすることなく、簡易に使用することができる。したがって、札入れ８０の中に複数の紙幣が重ねて収納され、紙幣同士が密着されていても、札入れ８０に添付の滑り止め剤４０を簡便に使うことができ、この滑り止め剤４０を指先に付けることで、紙幣を１枚又は１枚ずつ必要な枚数だけ容易に取り出すことができる。なお、札入れ８０から紙幣を取り出した後、札入れ８０を二つ折りにして閉じると、この二つ折りの間で容器１０と蓋２０は対接されて、容器１０の開口周囲１４上に蓋２０が保持手段（弱粘着剤）３０を介して接触保持されて、容器１０の蓋２０が閉じられる。
【００１６】
図３及び図４に第２の実施の形態を示している。図３において、２は札入れ用及び名刺入れ用の滑り止め器具で、容器１０と、容器１０を札入れ又は名刺入れに固定するための固定手段１６と、蓋２０と、蓋２０を容器１０に結合する手段５０、又は蓋２０を札入れ又は名刺入れに係止する手段と、容器１０と蓋２０とを着脱可能に保持する保持手段３０とを備える。この実施の形態においては、容器１０、容器１０を札入れ又は名刺入れに固定するための固定手段１６、蓋２０、容器１０と蓋２０とを着脱可能に保持する保持手段３０は、第１の実施の形態と同様であり、これらの部材については第１の実施の形態と同じ符号を付してその重複した説明を省略する。この実施の形態では、蓋２０を札入れ又は名刺入れに固定するための固定手段に代えて、蓋２０を容器１０に結合する手段５０、又は蓋２０を札入れ又は名刺入れに係止する手段を備えた点が、第１の実施の形態と異なり、ここでは新たな符号を付して詳しく説明する。
【００１７】
蓋２０を容器１０に結合する手段５０は蓋２０と容器１０とを連結する手段で、この場合、蓋２０が容器１０に繋ぎ部材を介して連結される。この場合、繋ぎ部材５０は、蓋２０とフレーム１２若しくはベース１１、又は容器１０全体と一体に成形して、蓋２０とフレーム１２若しくはベース１１、又は容器１０との間に一体に形成されてもよく、繋ぎ部材５０を単体で形成して、蓋２０とフレーム１２若しくはベース１１、又は容器１０との間に後付けで取り付けてもよい。また、蓋２０と容器１０とを連結する手段５０として、蓋２０が容器１０にヒンジ結合されてもよい。蓋２０を札入れ又は名刺入れに係止する手段には、接着手段又は係止手段が採用される。接着手段の場合は、蓋の内側面周囲に、蓋を札入れ又は名刺入れに着脱可能に接着できる程度の弱粘着剤が塗布される。なお、この弱粘着剤は蓋と容器との間の保持手段として採用する弱粘着剤と兼用されてもよい。係止手段の場合は、蓋の外側面や周縁部に札入れ又は名刺入れの縁部に係止可能なクリップやフックなどの係止部材が設けられる。
【００１８】
このようにして滑り止め器具２は既述のとおり、滑り止め剤４０が包装され、札入れ（又は名刺入れ）に添付して使用されるようになっている。この滑り止め器具２の使い方は次のとおりである。なお、ここでは滑り止め器具２を札入れ８０に取り付けて使用する場合について例示するが、名刺入れの場合でも同様である。図４に示すように、この滑り止め器具２の場合、容器１０は蓋２０が閉じられた状態で、札入れ８０の任意の位置に取り付けられる。この場合、容器１０の底面１５から剥離紙１７を剥がして、容器１０の底面１５を札入れ８０の一方の面８１の任意の位置に粘着剤（固定手段）１６により固定する。そして、札入れ８０から紙幣を取り出すときに、容器１０から蓋２０を引き離すだけのワンタッチ操作で、容器１０の蓋２０を開ければよい。このとき、蓋２０が繋ぎ部材５０その他の容器１０に結合する手段５０で連結されていることで、蓋２０を持つ必要がなく、また蓋２０の紛失を防止することができる。また、蓋２０に、弱粘着剤、又はクリップやフックその他の容器に係止する手段が設けられることで、蓋２０を札入れ又は名刺入れに一時的に固定（仮止め）することができ、蓋２０を引き離した後で蓋２０を持つ必要がなく、また蓋２０の紛失を防止することができる。これによりユーザーは、この滑り止め剤４０を、必要なときに、簡易に使用することができる。したがって、札入れ８０の中に複数の紙幣が重ねて収納され、紙幣同士が密着されていても、札入れ８０に添付の滑り止め剤４０を簡便に使うことができ、この滑り止め剤４０を指先に付けることで、紙幣を１枚又は１枚ずつ必要な枚数だけ容易に取り出すことができる。
【図面の簡単な説明】
【００１９】
【図１】（ａ）本考案の第１の実施の形態における札入れ用及び名刺入れ用の滑り止め器具の平面図（ｂ）同滑り止め器具の断面図
【図２】同滑り止め器具の使用例を示す斜視図
【図３】（ａ）本考案の第２の実施の形態における札入れ用及び名刺入れ用の滑り止め器具の平面図（ｂ）同滑り止め器具の断面図
【図４】同滑り止め器具の使用例を示す斜視図
【符号の説明】
【００２０】
１、２  札入れ用及び名刺入れ用滑り止め器具
１０  容器
１１  ベース
１２  フレーム
１３  開口
１４  開口周囲
１５  底面
１６  固定手段（粘着材）
１７  剥離紙
２０  蓋
２１  固定手段（粘着材）
２２  剥離紙
３０  保持手段
４０  滑り止め剤
５０  蓋を容器に結合する手段（繋ぎ部材）
８０  札入れ
８１、８２  面
【手続補正３】
【補正対象書類名】図面
【補正対象項目名】図５
【補正方法】削除
【補正の内容】